(57)【要約】【課題】太陽熱を自然環境の変化や気象の変化にあまり影響されず、製造コストも維持費も安く、集熱効果を高める太陽熱蓄熱装置を提供する。【解決手段】    円盤状の底部と半球状のドーム部と蓄熱貯水槽部とからなる太陽熱蓄熱装置であって、底部の上部には黒色のスノコ部を設けるとともに下部は底部水槽を設け、ドーム部は複数本の円弧状のポールよりなる枠体部を設け、ドーム部の太陽光線が照らされる部分には外周面に透明のシートと内周面に半透明のシートを張り巡らし、ドーム部の太陽光線が照らさない部分には内周面に内部へ反射する鏡部を張り巡らしてほぼドーム内を密封状態にするとともに頂部にはノズルを設け、水槽の底部と蓄熱貯水槽部を連結して蓄熱貯水槽部に温水を貯留し、その温水を更にポンプによって前記ノズルに供給し、ノズルからドーム部内部に霧状に噴霧し、霧状から水滴になった水をスノコ部に接触させて底部水槽に循環させる太陽熱蓄熱装置。【選択図】図１
2010038459.tif 000002
【特許請求の範囲】
【請求項１】
円盤状の底部と半球状のドーム部と蓄熱貯水槽部とからなる太陽熱蓄熱装置であって、
前記底部の上部には黒色のスノコ部を設けるとともに下部は底部水槽を設け、
前記ドーム部は複数本の円弧状のポールよりなる枠体部を設け、
該ドーム部の太陽光線に照らされる部分には二重の透明及び半透明のビニールシートを張り巡らし、該ドーム部の太陽光線に照らされない部分には、内周面に内部へ反射する鏡部を張り巡らしてほぼドーム内を密封状態にするとともに、頂部にはノズルを設け、
前記水槽の底部と蓄熱貯水槽部を連結して該蓄熱貯水槽部に温水を貯留し、その温水を更にポンプによって前記ノズルに供給し、該ノズルからドーム部内部へ霧状に噴霧し、霧状から水滴になった水をスノコ部に接触させて底部水槽に循環させることを特徴とする太陽熱蓄熱装置。
【請求項２】
前記二重の透明及び半透明のビニールシートは、外周面側には透明シートを内周面側には遠紫外線を抑える半透明シートを張り巡らしたことを特徴とする請求項１に記載の太陽熱蓄熱装置。
【発明の詳細な説明】
【技術分野】
【０００１】
本発明は、太陽熱を効率よく蓄熱する太陽熱蓄熱装置に関するものである。
【背景技術】
【０００２】
エネルギーの多くは石油、石炭、そして電力を元にして作られている。そのために高いコストと有害な物質による公害、自然環境破壊、地球温暖化を招いてきた。再生可能エネルギーといわれる自然界の太陽、風力、水力のエネルギーを電力に変換して有効利用が図られて入るが、変換するための施設費、維持費に大きなコストがかかる。
又原子力発電も高いコストと危険性が伴う。
また、太陽光線を利用する太陽電池は開発されているが、太陽電池が高価であるばかりか蓄熱装置としては効率は低く、太陽熱を利用して水を温める温水器は従来より開発されてきたが、北海道などの寒冷地で夏場は利用できるが冬場では高温の水を得ることは困難であった。
【特許文献１】特開２００４−２０５１８３公報
【特許文献２】特開２００２−１３０８４１公報
【発明の開示】
【発明が解決しようとする課題】
【０００３】
本発明の課題は、上記の問題点に鑑みてなされたもので、太陽の熱エネルギーを効率よく水に蓄熱することにより、クリーンなエネルギーを安いコストでいつでも誰でもどこでも有効活用することが出来る太陽熱蓄熱装置を提供することにある。
【課題を解決するための手段】
【０００４】
上記の課題を解決するために、請求項１の発明は、円盤状の底部と半球状のドーム部と蓄熱貯水槽部とからなる太陽熱蓄熱装置であって、前記底部の上部には黒色のスノコ部を設けるとともに下部は底部水槽を設け、前記ドーム部は複数本の円弧状のポールよりなる枠体部を設け、該ドーム部の太陽光線が照らされる部分には二重の透明及び半透明のビニールシートを張り巡らし、該ドーム部の太陽光線が照らさない部分には内周面に内部へ反射する鏡部を張り巡らしてほぼドーム内を密封状態にするとともに頂部にはノズルを設け、前記水槽の底部と蓄熱貯水槽部を連結して該蓄熱貯水槽部に温水を貯留し、その温水を更にポンプによって前記ノズルに供給し、該ノズルからドーム部内部に霧状に噴霧し、霧状から水滴になった水をスノコ部に接触させて底部水槽に循環させることを特徴とする。
請求項２の発明は、請求項１に記載の太陽熱蓄熱装置において、前記二重の透明及び半透明のビニールシートは、外周面側には透明シートを内周面側には遠紫外線を抑える半透明シートを張り巡らしたことを特徴とする。
【発明の効果】
【０００５】
本発明によれば、ドーム状の部屋内に集熱するので、太陽熱を自然環境の変化や気象の変化にあまり影響されず、さらに、ドーム型の構造はすこぶるコストが安く、耐久力があり、固定した半円形の風船のような構造であるので、ドーム製造コストも維持費も低いとうい効果がある。また、熱の蓄積媒体もドーム部内に集熱された熱エネルギーをミスト状にして散布した水に蓄熱し、循環して用いることができるので効率よく蓄熱でき、また、二重のシートによりドーム内の太陽熱の放熱を防ぎ、集熱を高めるために反射鏡を設置し、表面積の多いスノコ構造の黒色金属板を設置して集熱効果を高めることができるという効果がある。
【発明を実施するための最良の形態】
【０００６】
本発明の好適な太陽熱蓄熱装置の実施例を図面に沿って説明する。
図１に示すように、太陽熱蓄熱装置１は円盤状の底部２と半球状のドーム部３と蓄熱貯水槽部４とから構成される。
本実施例に用いたドームの規模は、円盤状の底部２の直径Ｌ＝1.2ｍ、ドーム部３の高さＨ＝1.2ｍであり、底部２の下部は水槽２１の深さｈ＝15ｃｍであり、また、蓄熱貯水槽部４は水槽２１の容積の約1.5〜3倍である。
底部２の水槽２１の上の一面には、スノコ状に表面を黒色に塗った金属パイプ２２を掛け渡してあり、底部２の底には蓄熱貯水槽部４の温水タンク４１に通じる連通管４２が設けられている。
【０００７】
底部２の上部にはドーム部３が設けられるが、ドーム部３は６本(数本)の円弧状のポール３１よりなる枠体部が底部２の外周に亘って等間隔に立てられ、頂部３２で結合して、その頂部３２には噴霧装置３３が固定され噴霧装置３３のドーム部３の内周側には噴霧ノズル３３１が設けられ、この噴霧ノズル３３１はドーム部３内に均一に充満するように４個設けてある。６本(数本)の円弧状のポール３１の太陽光線が照らされる南側部分には外周面に透明のシート３４と内周面に保温性半透明のシート３５を張り巡らし、ドーム部３の太陽光線が照らさない北側部分には内周面に内部へ熱反射する鏡部(反射板)３６を張り巡らして、必要に応じて外周にはシート押さえポール３８(図３)を設けてもよく、底部２には内周に沿ってシートを内側から支える円形ポール２３(図２)を設け、ほぼドーム内を密封状態にしている。
【０００８】
このシートの部分は、図３に示すように、二重のビニールシートうち、外周面側には透明シートを張り巡らすが、この透明シートとしては厚さ0.075mm(シーアイ化成(株)：スカイエイト．透明率95％(当初)(3年使用後70％)を使用した。透明シートは太陽光線を取り込む性能が高いものが良く、透明、或いは、ほぼ透明(透明率90％以上）に近いのものがよい。また、内周面側には遠紫外線を抑える半透明シートを張り巡らすが、この半透明としては0.1mm(シーアイ化成(株)：ハイホットスカイエイト（商標）)を使用した。この半透明シートの透明性は直進光線(550mm)透過率75%で全光線(550mm)透過率90%程度であるが、保温性に関する遠赤外線(5〜25μ)透過率は15％(一般農ビ25％)であり保温性を有するものである。
そして、この二重のシートの間には、間隔0〜3cm(平均1cm)程度の空気層３７が存在する。ドーム部の太陽光線が照らさない部分の内周面に設ける熱反射の鏡部(反射板)３６はビニールシートにアルミ箔を貼り付けたミラーである。
【０００９】
図１に示すように、噴霧装置３３には、蓄熱貯水槽部４の温水タンク４１に通じる連通管４３、ポンプ４５、連通管４４を介して接続され、噴霧装置３３の噴霧ノズル３３１のミスト散布水量は120リットル／毎時である。また、温水タンク４１で温水はさらに何度か循環され、更に温度を上昇させて蓄熱貯水槽部４の温水タンク４１に温水として貯水され、必要に応じて、暖房用温水、風呂用温水等として供給管４６からバルブ４６１(及び図示はしないポンプ)を介して 所定の装置に供給させる。空になった温水タンク４１(例えば朝等)には、新たな水道水が補給管４７及びバルブ４７１を介して満たされる。
スノコ状に設けた立体多面積である金属パイプ２２は、直径20mmのスチールパイプの表面を黒い塗料で塗って、約３０本程度を平行に並べ全体を底部２の外周に合わせて、円状になるように切断し、針金等で適当な間隔に互いを連結してある。
【００１０】
本実施例の太陽熱蓄熱装置１は以上の構成であるが、次に、その蓄熱作用を図４のフローチャート図で説明する。 
図４において、ステップＳ１では、ドーム部３の内部に太陽光を二重の透明シート３４及び半透明シート３５を透して内部に取込む。ステップ２で、取り込まれた太陽光は熱となってドーム内部を暖めるが、半透明シート３５及び鏡部(反射板)３６により熱線は反射されて内部に留まり、又、半透明シート３５により遠紫外線の外部への放熱を少なくする。
ある程度、ドーム部３内部の温度が上昇すると、ステップ３に進み、蓄熱貯水槽部４の温水タンク４１から連通管４３を介してポンプ４５を稼働することにによって温水を吸い上げ、更に連通管４４から噴霧部３３に供給し、ステップ４で噴霧部３３の噴霧ノズル３３１から水を噴霧状にしてドーム部３内に散布する。
【００１１】
散布されたミストはドーム部３内の暖められている空気によって暖められ、水滴となって底部２に落下するが、ステップＳ５では、やはり暖められた底部２の金属パイプ２２に接触し更に暖められて下部の水槽２１に落下し、ステップ６で水槽２１に集められて、ステップ７で水槽２１の底に設けられた連通管４２を通じて温水タンク４１に貯留させる。
こうして、太陽が昇っていてドーム３が暖められている間は、ステップ７からステップ２に戻り、温水を循環させて更に温水の温度を上昇させる。
温水タンク４１に所定温度になった温水は、ステップ８で必要に応じて暖房用温水、風呂用温水等として供給管４６からバルブ４６１及びポンプを介してそれらの施設に供給する。
【００１２】
ここで、実施例の構成の作用につて実験結果を説明する。
[１．シートによる蓄熱効果]
ドーム部３のシートの構成は、本発明では二重のビニールシートとすることを特徴の一つとするが、先ず、シートの種類はドーム部３の内側のシートを保温性半透明シート(厚さ0.1mmシーアイ化成(株)：ハイホットスカイエイト（商標）)とした理由は、透明シートと半透明シートの集熱効率を比較した次の[表１−１]の実験結果であり、この表から透明フィルムを100％とした場合に、半透明フィルムの温度上昇は159％と明らかに保温性については半透明シートの方が有利であったからである。
【００１３】
[表１−１]
2010038459.tif 000003
【００１４】
次に、半透明シートの１枚(一重）の場合と、本実施例の外側透明シートで内側半透明シートの二重の場合と、更にその内側半透明シートの三重の場合の実験結果を[表１−２]と[表１−３]に示す。[表１−２]は天候が晴れ時々曇り日(４月)であり、[表１−３は天候が曇り時々雨の日(４月)である。以下の実験での対象蓄熱は同じ大きさの器に同じ推量の水を入れて、同じ環境下で測定した。
【００１５】
[表１−２]
2010038459.tif 000004
【００１６】
[表１−３]
2010038459.tif 000005
【００１７】
ここで、本実施例の外側透明シートで内側半透明シートとした理由を説明するが、意外であったのは、同じ透明と半透明の二重のシートの場合でも、半透明シートの配置位置によって集熱効果の実験値の[表１−４]に示すように異なることである。すなわち、ドーム部３の内側に熱反射効率のよい透明シートを、外側に半透明シートを配置した場合を100％とした場合に、内側に半透明シートを、外側に透明シートを配置した場合には125％も温度上昇が高くなることが判る。
【００１８】
[表１−４]
2010038459.tif 000006
【００１９】
上記の実験結果から、晴れであれ、曇りであれ、フィルムシートは一重(晴れ：18.0℃→48.0℃)よりも二重(晴れ：18.0℃→49.5℃)にした方が水温上昇は大きいが、三重にすると逆に水温上昇(晴れ：18.0℃→32.0℃)は鈍くなる。これはフィルムシートを重ねた方が熱反射や空気層の存在で保温効果が上がるが、あまり重ねると太陽交差炎光線の透過率が下がりドーム内の温度が上がらないものと考えられる。したがって、本実施例のように、外周に透明シート３４、内周に半透明シート３５の二重にする構成が最適である。
なお、透明シートのシーアイ化成(株)のスカイエイト(商標)以外にもMKVプラステック株式会社のノービエース(商標)でもよく、また、半透明のシーアイ化成(株)のハイホットスカイエイト(商標)以外にも、MKVプラステック株式会社のダンビーノ(商標)でもよく、それぞれ同等物性のシートであればよい。
【００２０】
[２．鏡部(反射板)の蓄熱効果]
ドーム部３の鏡部(反射板)３６の構成は、ドーム部３の太陽光線が照らさない北側部分(多少の地域差はあるが)の約１４０度(頂部３２)からの角度の範囲には内周面に内部へ反射する鏡部３６(反射板)を張り巡らして、放熱を防ぐとともに、熱線を内部に反射して保温効果を高めている。この実験結果を[表２]に示す。
【００２１】
[表２]
2010038459.tif 000007
【００２２】
上記の実験結果から、鏡部(反射板)３６を設けたほうが、比率で２０％(100％→120％)も上昇することが判る。
【００２３】
[３．スノコ状黒色パイプの蓄熱効果]
上述したようにドーム部３内の底部にスノコ状に設けた立体多面積である表面黒色の金属パイプ２２を設けたところ、この黒色の金属パイプ２２はドーム内が噴霧状態であっても、かなりパイプの表面温度が上昇することを知見したので、この温度上昇をも取り込むために、噴霧した水が水滴となって落下する際に、このパイプに接触させて更に温度上昇するように試みた。比較のため、これら金属板等の蓄熱部材を設けない場合と、平面金属板と、本実施例の表面黒色の金属パイプ２２について、同じ条件下で実験をした。この実験結果を[表３]に示す。
【００２４】
[表３]
2010038459.tif 000008
【００２５】
上記の実験結果から、金属板等の蓄熱部材を設けない場合と比較して、平面金属板をスノコ状に配置した場合は３１％(100％→131％)上昇し、本実施例の立体多面積である表面黒色の金属パイプ２２の場合は、６３％(100％→163％)も上昇したことが判る。
【００２６】
[４．総合蓄熱効果]
以上の各蓄熱効果での最適なものを選択した本実施例の太陽熱蓄熱装置１の蓄熱量と戸外の蓄熱量とを比較した実験結果を[表４−１]、[表４−２]、[表４−３]に示す。
[表４−１]は晴天日での本太陽熱蓄熱装置と外部との蓄熱量の比較表であり、[表４−２]は曇り時々晴れ日での蓄熱量の比較表であり、[表４−３]は曇り時々雨の日の蓄熱量の比較表である。
【００２７】
[表４−１]
2010038459.tif 000009
【００２８】
[表４−２]
2010038459.tif 000010
【００２９】
[表４−３]
2010038459.tif 000011
【００３０】
上記の実験結果は、[表４−１]では、晴天で気温の高い日の蓄熱量はおおむね高い蓄熱量となり、その比率は対象区の戸外に対して730％の数値を記録した。[表４−２]の曇り時々晴れ日の蓄熱量も、おおむね高い蓄熱量となり、その比率は対象区の戸外に対して650％の数値を記録した。[表４−３]の曇り時々雨の低温日はおおむね高い蓄熱量となり、その比率は対象区の戸外に対して830％の数値を記緑し、曇り日でも蓄熱効果が高いことが判る。
これらの実験結果から、一般家庭一日のお湯の必要量を500リットルと想定すると直径1，8メートルのドームでまかなうことが出来る。また、ボィラーを付加することにより必要温度のコントロールやドーム面積はより少なく出来る。
【００３１】
以上のように、本実施例によれば、ドーム状の部屋内に集熱するので、太陽熱を自然環境の変化や気象の変化にあまり影響されず、さらに、ドーム型の構造はすこぶるコストが安く、耐久力があり、固定した半円形の風船のような構造であるので、ドーム製造コストも維持費も低くい。また、熱の蓄積媒体もドーム部内に集熱された熱エネルギーをミスト状にして散布した水に蓄熱し、循環して用いることができるので効率よく蓄熱でき、また、二重のシートによりドーム内の太陽熱の放熱を防ぎ、集熱を高めるために反射鏡を設置し、表面積の多いスノコ構造の黒色金属板を設置して、水滴により効率的に熱を位相でき集熱効果を高めることができる。
なお、本発明の特徴を損なうものでなければ、上記の実施例に限定されるものでないことは勿論である。
【図面の簡単な説明】
【００３２】
【図１】太陽熱蓄熱装置１は側断面図、
【図２】図１の平面図
【図３】図１の部分拡大断面図、
【図４】本発明の蓄熱作用のフローチャートの図である。
【符号の説明】
【００３３】
１・・ 太陽熱蓄熱装置
２・・底部、２１・・水槽、２２・・金属パイプ、２３・・円形ポール
３・・ドーム部、３１・・円弧状のポール、３２・・頂部、
３３・・噴霧部、３３１・・噴霧ノズル、
３４・・透明(ビニール)シート、３５・・保温性半透明(ビニール)シート、
３６・・鏡部（反射板）、３７・・空気層、３８・・シート押さえポール
４・・蓄熱貯水槽部、４１・・温水タンク、４２,４３,４４・・連通管、
４５・・ポンプ、 ４６・・供給管、４７・・補給管、４６１,４７１・・バルブ
【図１】
2010038459.tif 000012
【図２】
2010038459.tif 000013
【図３】
2010038459.tif 000014
【図４】
2010038459.tif 000015